(57)【要約】　　　（修正有）【課題】表示部の視認性の向上と使用性の向上を図り得る液体燃料燃焼装置を提供する。【解決手段】本体前面に配設され燃料の残油状況を発光により表示する油量表示部４と、本体上面に設けられた操作表示部３とを備え、燃料切れになった給油予告時には油量表示部４の油量ランプの全てを点滅させて、給油要求を使用者に知らせる。また、入タイマーの作動中は本体前面の油量表示部４を消灯し、操作表示部３を点灯して、就寝場所で機器を使用した場合でも表示部の明るさを気にせずに就寝できるようにする。また、操作表示部３のタイマーランプの点灯により、その動作状況を確認できるようにする。【選択図】　図１
2004044982.tif 000002
【特許請求の範囲】
【請求項１】
本体前面に配設され燃料の残油状況を発光により表示する油量表示部を備え、タイマー作動中は前記油量表示部を消灯することを特徴とする液体燃料燃焼装置の表示装置。
【請求項２】
前記油量表示部は、残油量に応じて発光表示する複数のランプを備え、タイマー作動中は前記油量表示部の全てのランプを消灯することを特徴とする請求項１に記載の液体燃料燃焼装置の表示装置。
【請求項３】
操作スイッチ及び運転状態を表示する表示部からなる操作表示部が、前記油量表示部とは別に本体上面に配設され、前記タイマー作動中は、前記操作表示部を点灯することを特徴とする請求項１に記載の液体燃料燃焼装置の表示装置。
【請求項４】
本体前面に配設され燃料の残油量に応じて発光表示する複数のランプからなる油量表示部と、該油量表示部とは別に本体上面に配設され、操作スイッチ及び運転状態を表示する表示部からなる操作表示部とを備え、
タイマー作動中は、前記油量表示部の全てのランプを消灯し、前記操作表示部のタイマーランプを点灯することを特徴とする液体燃料燃焼装置の表示装置。
【請求項５】
燃料の残油状況を発光により表示する油量表示部を備え、該油量表示部は、残油量に応じて表示する複数のランプから構成され、給油予告時に前記全てのランプで報知することを特徴とする液体燃料燃焼装置の表示装置。
【請求項６】
前記給油予告時に前記全てのランプが点滅することを特徴とする請求項５に記載の液体燃料燃焼装置の表示装置。
【請求項７】
前記油量表示部が本体前面に配置されたことを特徴とする請求項５又は６に記載の液体燃料燃焼装置の表示装置。
【請求項８】
操作スイッチ及び運転状態を表示する表示部からなる操作表示部が、前記油量表示部とは別に設けられ、タイマー作動中は、前記操作表示部のタイマーランプを点灯することを特徴とする請求項５に記載の液体燃料燃焼装置の表示装置。
【発明の詳細な説明】
【０００１】
【発明の属する技術分野】
本発明は、灯油等の液体燃料を燃焼させる液体燃料燃焼装置の表示装置に関する。
【０００２】
【従来の技術】
この種の液体燃料燃焼装置では、燃料の残油を種々の方法で検知して表示している。例えば、残油量の検知は、フロートの浮力を利用したものが主流で、このフロートと近接スイッチとを組み合わせて発熱量を演算し表示するものや、実案登録２５８８１６９号公報に記載されているように、残り燃料が少なくなると自動消火させ、表示ランプを点灯させるものや、特公平７−１２２４９５号公報に記載されているように、重量センサーで検出した値に基づいて表示部のランプを消灯させて、最後に給油ランプを点灯するものや、さらには、特許３１３６７１９号公報に記載されているように、燃料タンクの残油を圧力センサーで検出し、所定の残油量になると予告ランプを点灯させるものや、特開２００１−３３６７４４号公報に記載されているように、燃料切れによる消火予告を前板の表示器に報知させるものが存在している。
【０００３】
また、表示器を消灯させることについては、特開２００１−４１５８１号公報に記載されているように、機器の運転状況に合わせて表示部の明るさを自動的に切り換えるものや、実開平７−１２７４６号公報に記載されているように、スイッチ操作で表示部の輝度を変更できるようにしたものが存在する。
【０００４】
【発明が解決しようとする課題】
ところで、従来の液体燃料燃焼装置では、操作部が上面にあり、燃料の残量表示部を機器本体の前面に配設して視認性を向上させているが、燃料の残量表示が小さく視認性が悪いといった問題や、燃料の残量表示が前面にあるため、タイマーカウント中（通常は就寝している）に点灯／点滅し、ＬＥＤランプの光（特に点滅時の光）が就寝の邪魔になるといった問題があった。
【０００５】
本発明は、上記課題を解決したもので、報知手段の視認性の向上と使用性の向上を図り得る液体燃料燃焼装置の表示装置の提供を目的としている。
【０００６】
【課題を解決するための手段】
上記目的を達成するため、本発明においては、本体前面に配設され燃料の残油状況を発光により表示する油量表示部を備え、タイマー作動中は前記油量表示部を消灯することを特徴としている。この構成によると、タイマー作動中は油量表示部が消灯するため、寝室などの就寝場所で機器を使用する場合の明るさを気にせずに就寝することができ、使用勝手を大幅に向上させることができる。
【０００７】
特に、油量表示部が残油量に応じて発光表示する複数のランプから構成される場合、タイマー作動中は油量表示部の全てのランプを消灯するようにすれば、より効果的である。
【０００８】
ここで、タイマー作動中とは、切タイマー作動中及び入タイマー作動中のいずれをも含む。例えば、就寝時などに切タイマーを設定している場合、その作動中をいい、また、就寝時などに入タイマーを設定している場合、その作動中をいう。
【０００９】
また、操作スイッチ及び運転状態を表示する表示部からなる操作表示部が、前記油量表示部とは別に本体上面に配設されている場合、タイマー作動中は、前記操作表示部（特にタイマーランプ）を点灯させれば、使用者は動作状況を確認することができ、使用勝手がよくなる。
【００１０】
ここで、操作スイッチとは、運転スイッチやタイマースイッチなどのスイッチをいい、また、表示部とは油量表示を除く運転状況を表示する液晶表示や表示ランプの単一またはその集合をいう。これらの操作表示部は、油量表示部とは別に就寝時に使用者の就寝の邪魔にならない本体上面に配置すれば、運転動作を確認でき、使用性が良好となる。その場合でも、操作表示部では、特にタイマーランプを点灯しておき、その他の表示（例えば液晶表示）を消灯しておくこともできる。
【００１１】
また、本発明においては、燃料の残油状況を発光により表示する油量表示部を備え、該油量表示部は、残油量に応じて表示する複数のランプから構成され、給油予告時に全てのランプで報知することを特徴としている。
【００１２】
この構成によると、複数のランプにより残油量に応じて段階的にランプの点灯状況が変わるので、残油量の把握が容易になり、また、給油予告時に全てのランプで報知するので、従来に比べて給油を使用者に知らせる訴求力が大幅に向上する。
【００１３】
この場合、油量表示部を本体前面に配置して視認しやすくし、また、給油予告時のランプ報知を点滅により行えば、より有効的である。ここで、給油予告時とは燃料切れになった状態をいうが、燃料がほとんどなくなった状態をも含むようにしてもよい。
【００１４】
【発明の実施の形態】
以下、本発明の実施形態を図面に基づいて説明する。図１は本発明の一実施形態である液体燃料燃焼装置の正面側斜視図、図２は同じくその背面側の斜視図である。図において、１は機器本体、２は温風を案内するルーバが取り付けられた温風吹出口、３は本体の上面前側に配設された操作表示部、４は本体前面の中央部に配置された油量表示部、５は本体蓋を兼ね備えた給油タンク、６は背面の温風取入口７にファンガード８を介して取り付けられた対流ファン、９は室温検知用サーミスタ、１０は給油タンクの把手、１１は給油タンクの油量計である。
【００１５】
機器本体１の外装体は、前面を覆う前パネル１３と、上面を覆う上面板１４と、側面及び背面を覆う背面板１５とを置き台１６の上に固定して構成されている。
【００１６】
油量表示部４は、前板１３の略中央部に絵表示と光源表示の表示シート１７が貼り付けられ、この表示シート１７の裏面にある機器本体側の複数のＬＥＤランプ１８（図７参照）からの光を通過させ、上下左右に各３個ずつ（合計９個）の光源窓からＬＥＤランプの光を拡散させて赤色表示するものである。
【００１７】
図３は燃料経路の概略図である。図３において、５は本体より取外し自在の給油タンク、２１は給油タンクの燃料を送る電磁ポンプ、２２は電磁ポンプからの燃料を加熱して気化ガスにする気化器、２３は気化器の気化ガスをノズルから噴出して燃焼空気と混合して燃焼するバーナである。２４は本体に給油タンクを装着したときに給油タンクと燃焼部とを接続する第１（送油側）の接続手段であり、タンク側接続ジョイント２４ａと、燃焼部側の接続ジョイント受け２４ｂとから構成される。２５は本体に給油タンクを装着したときに、給油タンクと気化器とを接続し未燃焼ガスを給油タンク５に戻すための第２（戻り油側）の接続手段であり、タンク側接続ジョイント２５ａと、燃焼部側の接続ジョイント受け２５ｂとから構成される。
【００１８】
そして、送油側の接続手段２４には経路内に空気を送る空気弁２６が設けられている。また、給油タンク５の第１の接続手段２４と電磁ポンプ２１の間は配管２７、電磁ポンプ２１と気化器２２の間は配管２８、気化器２２と第２の接続手段２５の間は戻り油配管２９で接続されている。
【００１９】
上記燃料経路においては、給油タンク５の燃料は、電磁ポンプ２１により気化器２２に送られ、気化器ヒータ（不図示）によって加温された気化器内部で燃料は液体より気体になり、気化器２２よりバーナ２３に送られ、バーナ２３で燃焼する。
【００２０】
また、給油タンク５の底面側には、タンク５内の燃料の量を検知する油量検知手段３０が設けられている。この油量検知手段３０は、図３に示すように、タンク５内部に配置され被検知部として機能する磁石３０ａが内蔵されたフロート３０ｂと、磁石３０ａの接近・離間動作に伴いＯＮ・ＯＦＦするようフロート３０ｂに対向してタンク下側の検知ダイ３０ｃ側に設置されたリードスイッチ３０ｄとを備えている。フロート３０ｂは、磁石３０ａを下側に配置した状態で、天蓋付きの透水性筒状ガイド３０ｅ内に燃料の液面変動に伴って上下動可能に内装されている。
【００２１】
上記油量検知手段３０は、給油タンク５の内部の燃料が減少して一定の液面水位になると、フロート３０ｂの磁石３０ａにより、リードスイッチ３０ｄが感知動作して、その動作を制御部５０に送り、油量表示部４に燃料切れ等を報知できるようになっている。
【００２２】
図４は操作表示部の概略図、図５はその液晶表示部の拡大図である。図に示すように、操作表示部３には、温度や換気などを表示する液晶表示部３２と、各種設定ボタン（スイッチ）３３〜３８とが配設されている。液晶表示部３２は、図７に示すように、室温表示、給油残り時間，現在時刻などをデジタル表示する。各種設定ボタン（スイッチ）は、運転入／切ボタン（スイッチ）３３、３時間延長ボタン３４、温度／タイマー設定ボタン３５、タイマーボタン３６、選択ボタン３７、設定／解除ボタン３８が配列されている。運転入／切ボタン３３、３時間延長ボタン３４、タイマーボタン３６の上側には、その動作状態を表示するランプ３９，４０，４１が設けられている。
【００２３】
運転ボタン３３は、点火、消火するときに押すボタンである。運転ランプ３９は運転中は点灯し、異常が生じて消火するときに点滅する。３時間延長ボタン３４は、運転を延長したいときに押すと３時間運転を継続するボタンである。
【００２４】
延長ランプ４０は、残時間が１時間以内になると点灯し、さらに１５分以内、あるいは自動消火時には点滅する。温度／タイマー設定ボタン３４は、温度設定をするときに、上げたり下げたり、また、時計、タイマー時刻設定を戻したり、進めたりするボタンである。
【００２５】
タイマーボタン３６は、１秒以上押しつづけると、タイマー運転を開始する。タイマーボタン３６の上側の表示ランプ４１は、タイマー運転中に点灯し、タイマー運転終了時に点滅する。
【００２６】
選択ボタン３７は、押すごとに、「省エネ」→「小部屋」→「チャイルドロック」→「速暖」→「スピード点火」→「お手入れ」（クリーニング運転）→「省エネ」の順に機能選択を繰り返すことができる。設定／解除ボタン３８は、選択ボタン３７で選択した上記機能を決定／解除するスイッチである。
【００２７】
図６は各種設定ボタン３３〜３８や油量検知手段３０からの信号により各種運転モードを制御する制御回路の構成図である。なお、図６においては、本発明と直接関係しない構成部品については図示していない。
【００２８】
制御部５０は、一般的なマイクロコンピュータから構成され、内部にＣＰＵ、ＲＯＭ、ＲＡＭを備え、入力側に油量検知手段３０や各種設定ボタン（スイッチ）３３〜３８が接続され、出力側にはポンプ駆動回路５２を介して電磁ポンプ２１が接続され、モータ駆動回路５３を介して対流ファン６が接続され、また弁駆動回路５４を介して空気弁２６や気化器２２のノズルを開閉するソレノイドバルブ５５が接続されている。また、ヒータ駆動回路５６を介してバーナの点火ヒータ５７や気化器ヒータ５８が接続されている。
【００２９】
さらに、制御部５０の出力側には、表示駆動回路５９を介して操作表示部３（ランプ表示も含む）及び油量表示部４などの表示部が接続されている。また、制御部５０にはタイマー手段６０が接続され、タイマー運転などの計時を行えるようになっている。
【００３０】
制御部５０では、上記入力信号に基づいて、各駆動回路５２〜５４、５６，５７を制御して電磁ポンプ２１や操作表示部３及び油量表示部４を以下のように制御する。
【００３１】
図７は操作表示部３及び油量表示部４の表示状態を示す図である。液体燃料燃焼装置においては、燃料を補給した給油タンク５を機器本体に装着した後に、運転ボタン３３を押すと、気化器ヒータが加熱されて気化器２２の温度が上昇し、給油タンク５から送られてきた燃料が気化し、バーナ２３に送られて燃焼し、対流ファン６の回転駆動により温風が温風吹出口２より室内に吹出される。
【００３２】
このときの表示は、運転ランプ３９と、油量表示部４のランプの全てが点灯し、デジタル表示は室内の温度を表示する。そのまま運転が継続されると、給油タンク５の燃料が少なくなり、この状態を油量検知手段３０が検出すると、運転ランプ３９と、油量表示部４のランプ１８のうち、中、下ランプが点灯して上ランプが消灯し、デジタル表示は室内の温度を表示する。
【００３３】
さらに、運転が継続されて給油タンク５の燃料が少なくなると、運転ランプ３９と、油量表示部４の複数のランプ１８のうち下ランプのみが点灯し、上、中ランプが消灯し、デジタル表示は『給油』と『残り時間１：００』を表示し、使用者に給油を促す。
【００３４】
さらに、運転が継続されて給油タンク５の燃料がなくなると、運転ランプ３９と、油量表示部４の複数のランプ１８の全てが点滅し、デジタル表示は『給油』と『室温』から『現在時刻』を表示するようになる。
【００３５】
このように、前板の油量表示部４の油量ランプ１８が給油タンク５の残油量と連動し、最後に燃料がなくなったことを知らせる手段として、油量表示部４の油量ランプの全てを点滅させることで、従来に比べて給油を使用者に知らせることの訴求力が大幅に向上する。
【００３６】
また、入タイマー運転をするときには、運転ボタン３３を押し、さらにタイマーボタン３６を１秒以上押した後、設定ボタン３５で運転開始時刻を設定する。このような操作を行うと、操作表示部３の運転ランプ３９が消灯し、タイマーランプ４１が点灯する。このとき、油量表示部４の油量ランプ１８は点灯するが、一定時間（約８秒）後に消灯し、操作部３のタイマーランプ４１のみが点灯し続ける。そして、設定時刻になると、タイマー運転を開始する。
【００３７】
また、タイマー運転を開始すると、油量表示部４の油量ランプ１８は一定時間点灯し、その後消灯する。さらに、タイマー運転完了前に油量表示部４の油量ランプ１８を点灯する構成にしても構わない。
【００３８】
このように、前板の油量表示部４の油量ランプは、タイマー運転をしたときには一時的に表示をするが、その後に消灯するので、寝室などの就寝場所で機器を使用するときに明るさを気にせずに就寝することができ、使用勝手を大幅に向上させることができる。
【００３９】
なお、本実施形態では、運転ボタン３３をＯＮして所定時間経過後に、あるいは３時間延長ボタン３４をＯＮして所定時間経過後に自動的に消火するため、切タイマーを設定する必要はないが、切タイマー機能を設けて、これを設定した場合、タイマー作動中は、油量表示部４の油量ランプ１８を消灯し、操作部３のタイマーランプ４１のみを点灯するようにしてもよい。
【００４０】
また、油量表示機能としては、前記ランプ表示のみに限らず、油量状況に応じて、例えば残量が少なくなったときにチャイムなどで知らせる音声報知機能も付加することができる。この場合、タイマー作動中は音声報知機能を作動させないようにすれば、就寝の邪魔にならず、使用勝手がよくなる。
【００４１】
【発明の効果】
以上の説明から明らかなように、本発明によると、油量表示部の油量ランプは、タイマー運転をしたときに消灯するので、就寝場所で機器を使用するときの明るさを気にせずに就寝することができ、使用勝手を大幅に向上させることができる。
【００４２】
また、給油予告時に全てのランプで報知するようにしているので、従来に比べて給油を使用者に知らせる訴求力が大幅に向上する。
【図面の簡単な説明】
【図１】本発明の一実施形態である液体燃料燃焼装置の正面側斜視図
【図２】図１の背面側の斜視図
【図３】図１の燃料経路の概略図
【図４】図１の操作表示部の概略図
【図５】図４の液晶表示部の拡大図
【図６】図１の各種運転モードを制御する制御部のブロック図
【図７】図４の各表示部の表示状態を示す図
【符号の説明】
１　　機器本体
２　　温風吹出口
３　　操作表示部
４　　油量表示部
５　　給油タンク
６　　対流ファン
７　　温風取入口
９　　室温検知用サーミスタ
１０　　把手
１１　　油量計
１２　　差込プラグ
１３　　前パネル
１４　　上面板
１５　　背面板
１６　　置き台
２１　　電磁ポンプ
２２　　気化器
２３　　バーナ
２４　　第１の接続手段
２５　　第２の接続手段
３０　　油量検知手段
３２　　液晶表示部
３３　　運転ボタン
３４　　３時間延長ボタン
３５　　温度／タイマー設定ボタン
３６　　タイマーボタン
３７　　選択ボタン
３８　　設定／解除ボタン
５０　　制御部
【図１】
2004044982.tif 000003
【図２】
2004044982.tif 000004
【図３】
2004044982.tif 000005
【図４】
2004044982.tif 000006
【図５】
2004044982.tif 000007
【図６】
2004044982.tif 000008
【図７】
2004044982.tif 000009